(57)【要約】【課題】  持ち上げる際に煩雑な操作を必要とすることなく、そしてまた袋本体（４）に比較的高重量の商品を収納した場合であっても指に痛みを伴うことなく持ち運ぶことが可能な手提げ手段（６）を有する、手提げ袋（２）を提供すること。【解決手段】  手提げ手段を、表壁部（８）の上端部に接続された表側帯状片（２０）と裏壁部（１０）の上端部に接続された裏側帯状片（２２）とから構成する。【選択図】  図１
2017007705.tif 000002
【特許請求の範囲】
【請求項１】
表壁部と裏壁部とを有し且つ底端並びに両側端は閉じられ上端は開放されている袋本体と手提げ手段とを具備し、
該表壁部の内面及び／又は該裏壁部の内面には、該袋本体の上部において該表壁部と該裏壁部とを相互に接続するための接続手段が配設されている合成樹脂フィルム又はシート製手提げ袋において、
該手提げ手段は、該表壁部の上端部に接続された表側帯状片と該裏壁部の上端部に接続された裏側帯状片とから構成されている、ことを特徴とする手提げ袋。
【請求項２】
該表側帯状片はその両側端が該表壁部の外面上端部の両側端に溶着され、該裏側帯状片はその両側端が該裏壁部の外面上端部の両側端に溶着されている、請求項１記載の手提げ袋。
【請求項３】
該表側帯状片は、その両側端が該表壁部の外面上端部の両側端に溶着され、その両側端部上縁が該表壁部の外面上縁の両側端部に溶着され、そして更に、該表壁部の該外面上縁の該両側端部の幅方向内側端部から該底端に向かって幅方向外側に傾斜して延びる傾斜ラインに沿って該表壁部の該外面上端部に溶着されており、
該裏側帯状片は、その両側端が該裏壁部の外面上端部の両側端に溶着され、その両側端部上縁が該裏壁部の外面上縁の両側端部に溶着され、そして更に、該裏壁部の該外面上縁の該両側端部の幅方向内側端部から該底端に向かって幅方向外側に傾斜して延びる傾斜ラインに沿って該裏壁部の該外面上端部に溶着されている、請求項１に記載の手提げ袋。
【請求項４】
該傾斜ラインの各々は下方に向かって幅方向外側に弧状に延びる延出部を含んでいる、請求項３記載の手提げ袋。
【請求項５】
該表壁部及び該裏壁部の上端部幅方向中央領域は切り欠かれている、請求項１から４までのいずれかに記載の手提げ袋。
【請求項６】
該接続手段は該表壁部の内面上部又は該裏壁部の内面上部に接着され幅方向に延在する両面接着テープから構成され、該両面接着テープの表面には保護テープが剥離自在に接着されている、請求項１から５までのいずれかに記載の手提げ袋。
【請求項７】
該両面接着テープは着色されている、請求項６記載の手提げ袋。
【請求項８】
該接続手段は、該表壁部の内面上部と該裏壁部の内面上部との一方に固着されて幅方向に延在する凸型ファスナ片と、該表壁部の内面上部と該裏壁部の内面上部との他方に固着されて幅方向に延在する凹型ファスナ片とから構成されている、請求項１から５までのいずれかに記載の手提げ袋。
【発明の詳細な説明】
【技術分野】
【０００１】
本発明は、袋本体と手提げ手段とを具備する合成樹脂フィルム又はシート製手提げ袋に関する。
【背景技術】
【０００２】
下記特許文献１及び２に開示されている如く、合成樹脂フィルム又はシート製手提げ袋として、表壁部と裏壁部とを有し且つ底端並びに両側端は閉じられ上端は開放されている袋本体と手提げ手段とを具備し、表壁部の内面及び／又は裏壁部の内面には、袋本体の上部において表壁部と裏壁部とを相互に接続するための接続手段が配設されている手提げ袋が実用に供されている。手提げ手段は表壁部と裏壁部の上端部幅方向中央領域で所謂小判抜きすることにより形成された長円形状の開口により構成されている。
【０００３】
上記した手提げ袋にあっては、袋本体の開放されている上端を通してその内部に商品が収納され、接続手段によって表壁部の内面上部と裏壁部の内面上部とが相互に接続される。そして、使用者が手提げ手段を構成する長円形状の開口に指を通して表壁部の上端部と裏壁部の上端部を把持することによって手提げ袋は持ち運ばれる。
【０００４】
特許文献１に開示されている手提げ袋は、接続手段として接着テープが使用されている。例えば外国からの旅行客が国内の免税店にて商品を購入してその商品について免税を受けようとした場合には、購入した商品が収納された袋本体を国内で開封することが禁じられている。そのため、購入した商品が収納された袋本体は接着テープにより表壁部の内面上部と裏壁部の内面上部とが接着せしめられる。これにより、接着テープが毀損されることなく袋本体の内部から商品が取り出されることが回避され、仮に接着テープが毀損されて袋本体の内部から商品が取り出された場合にあってはそのことが明示される。また、特許文献２に開示されている手提げ袋においては、相互に解除自在に接続される凸型ファスナ片と凹型ファスナ片とから構成されている接続手段が使用されている。かような手提げ袋においては、凸型ファスナ片と凹型ファスナ片との接続及び接続解除を繰り返すことによって手提げ袋を繰り返し利用することができる。
【先行技術文献】
【特許文献】
【０００５】
【特許文献１】特開２０００−３３５６０２号公報
【特許文献２】特開２００５−２６３２５６号公報
【発明の概要】
【発明が解決しようとする課題】
【０００６】
上述したとおりの手提げ袋においては、商品を収納した手提げ袋を持ち運ぶ際に使用者は開口に指を通して手提げ袋を持ち上げる。開口に指を通す操作は比較的煩雑である。そしてまた、特に商品が比較的高重量のものである場合、袋を持ち上げたときに開口の鋭い縁が使用者の指に作用し、使用者が指に痛みを感じる傾向がある。
【０００７】
本発明は上記事実に鑑みてなされたものであり、その主目的は、手提げ袋を持ち上げる際に煩雑な操作を必要とすることなく、そしてまた袋本体に比較的高重量の商品を収納した場合であっても指に痛みを伴うことなく持ち運ぶことが可能な手提げ手段を有する、新規且つ改良された手提げ袋を提供することである。
【課題を解決するための手段】
【０００８】
本発明者は、鋭意検討の結果、手提げ手段を、表壁部の上端部に接続された表側帯状片と裏壁部の上端部に接続された裏側帯状片とから構成することによって、上記主たる技術的課題を達成することが出来ることを見出した。
【０００９】
即ち、本発明によれば、上記主たる技術的課題を達成する手提げ袋として、表壁部と裏壁部とを有し且つ底端並びに両側端は閉じられ上端は開放されている袋本体と手提げ手段とを具備し、
該表壁部の内面及び／又は該裏壁部の内面には、該袋本体の上部において該表壁部と該裏壁部とを相互に接続するための接続手段が配設されている合成樹脂フィルム又はシート製手提げ袋において、
該手提げ手段は、該表壁部の上端部に接続された表側帯状片と該裏壁部の上端部に接続された裏側帯状片とから構成されている、ことを特徴とする手提げ袋が提供される。
【００１０】
該表側帯状片はその両側端が該表壁部の外面上端部の両側端に溶着され、該裏側帯状片はその両側端が該裏壁部の外面上端部の両側端に溶着されていてもよい。該表側帯状片は、その両側端が該表壁部の外面上端部の両側端に溶着され、その両側端部上縁が該表壁部の外面上縁の両側端部に溶着され、そして更に、該表壁部の該外面上縁の該両側端部の幅方向内側端部から該底端に向かって幅方向外側に傾斜して延びる傾斜ラインに沿って該表壁部の該外面上端部に溶着されており、該裏側帯状片は、その両側端が該裏壁部の外面上端部の両側端に溶着され、その両側端部上縁が該裏壁部の外面上縁の両側端部に溶着され、そして更に、該裏壁部の該外面上縁の該両側端部の幅方向内側端部から該底端に向かって幅方向外側に傾斜して延びる傾斜ラインに沿って該裏壁部の該外面上端部に溶着されているのが好ましい。好適には、該傾斜ラインの各々は下方に向かって幅方向外側に弧状に延びる延出部を含んでいる。該表壁部及び該裏壁部の上端部幅方向中央領域は切り欠かれているのが好適である。好ましくは、該接続手段は該表壁部の内面上部又は該裏壁部の内面上部に接着され幅方向に延在する両面接着テープから構成され、該両面接着テープの表面には保護テープが剥離自在に接着されている。該両面接着テープは着色されているのがよい。該接続手段は、該表壁部の内面上部と該裏壁部の内面上部との一方に固着されて幅方向に延在する凸型ファスナ片と、該表壁部の内面上部と該裏壁部の内面上部との他方に固着されて幅方向に延在する凹型ファスナ片とから構成されていてもよい。
【発明の効果】
【００１１】
本発明の手提げ袋にあっては、手提げ手段が表壁部の上端部に接続された表側帯状片と裏壁部の上端部に接続された裏側帯状片とから構成されている故に、商品を収納した手提げ袋を持ち運ぶ際には単に表側帯状片及び裏側帯状片を把持することによって手提げ袋を持ち上げることができる。そしてまた表側帯状片及び裏側帯状片の縁ではなくて面に指を当接することができ、従って収納されている商品が高重量のものである場合には使用者が指に痛みを感じることが可及的に回避される。
【図面の簡単な説明】
【００１２】
【図１】本発明の手提げ袋の好適実施形態の正面図。
【図２】図１に示す手提げ袋のＡ−Ａ断面図。
【図３】図１に示す手提げ袋の袋本体に商品を収納して表壁部の内面と裏壁部の内面とを接着せしめ手提げ手段を把持した状態を示す図。
【図４】本発明の手提げ袋の他の実施形態の正面図。
【図５】図４に示す手提げ袋のＣ−Ｃ断面図。
【図６】本発明の手提げ袋の更に他の実施形態を示す断面図。
【発明を実施するための形態】
【００１３】
以下、本発明に従って構成された手提げ袋の好適実施形態を図示している添付図面を参照してさらに詳述する。
【００１４】
図１及び図２は本発明に従って構成された手提げ袋の好適実施形態を図示している。全体を番号２で示す手提げ袋は、袋本体４と手提げ手段６とを具備している。袋本体４と手提げ手段６は共に、透明乃至半透明であるのが好都合である、ポリエチレンフィルム又はシートの如き適宜の合成樹脂フィルム又はシートから形成することができる。
【００１５】
図１及び図２を参照して説明を続けると、袋本体４は、表壁部８と裏壁部１０とを有し且つ底壁並びに両側端は閉じられ上端は開放されている。表壁部８と裏壁部１０は夫々同一の横長矩形形状であり、その両側端は相互に溶着されている。袋本体４の底端には表壁部８の下縁及び裏壁部１０の下縁と連続すると共に袋本体４の内側に折り込まれた底壁１２が設けられており、底壁１２の両側端は表壁部８の両側端の下端部及び裏壁部１０の両側端の下端部と共に溶着されている。所望ならば、底壁１２の内面と表壁部８の両側端の下端部の内面、及び、底壁１２の内面と裏壁部１０の両側端の下端部の内面、には、底壁１２を所謂角底とするための角底用溶着部１３を設けてもよい。角底用溶着部１３は特開平８−１９２８５７号公報に開示されている角底用溶着部と実質上同一であるため、本明細書においてはその説明を省略する。
【００１６】
図２を参照することによって明確に理解されるとおり、表壁部８の内面には、袋本体４の上部において表壁部８と裏壁部１０とを相互に接続するための接続手段１４が配設されている。図示の実施形態においては、接続手段１４は表壁部８の内面上部に接着され幅方向に延在する両面接着テープ１６から構成され、この両面接着テープ１６の表面には保護テープ１８が剥離自在に接着されている（図２のＢ部拡大図も参照されたい）。両面接着テープ１６及び保護テープ１８は表壁部８の片側端から他側端まで直線状に延在しており、それらの両側端は表壁部８の両側端の上部及び裏壁部１０の両側端の上部と共に溶着されている。両面接着テープ１６は、透明乃至半透明であって適宜の色、例えば赤、焦茶色、に着色されているのが好ましい。保護テープ１８は、シリコン樹脂等がコーティングされることで上記両面接着テープ１６に対して剥離自在となるように加工されたテープである。この保護テープ１８も、両面接着テープ１６の色とは異なった銀色等の適宜の色に着色されているのが好ましい。図２のＢ部拡大図を参照することによって明確に理解されるとおり、保護テープ１８の下端縁は両面接着テープ１６の下端縁と一致するが、保護テープ１８の上端縁は両面接着テープ１６の上端縁よりも上方に位置する。所望ならば、接続手段１４は裏壁部１０の内面に配設されていてもよく、この場合にあっては、両面接着テープ１６は裏壁部１０の内面上部に接着され幅方向に延在する。
【００１７】
手提げ手段６は、表壁部８の上端部に接続された表側帯状片２０と裏壁部１０の上端部に接続された裏側帯状片２２とから構成されていることが重要である。図示の実施形態においては、表側帯状片２０と裏側帯状片２２は共に表壁部８及び裏壁部１０の幅方向長さと実質上同一の幅方向長さを有し、表側帯状片２０はその両側端が表壁部８の外面上端部の両側端に溶着され、裏側帯状片２２はその両側端が裏壁部１０の外面上端部の両側端に溶着されている。
【００１８】
上述した本発明にかかる手提げ袋２の使用方法について図１及び図２と共に図３を参照して以下に説明する。まず、手提げ袋２における袋本体４の開放された上端を通ってその内部に商品Ｇが収納される。商品Ｇが袋本体４の内部に収納された後、両面接着テープ１６の表面に接着されている保護テープ１８が使用者によって剥離され、両面接着テープ１６の接着性を有する表面が露呈せしめられる。保護テープ１８が剥離される際には、保護テープ１８の上縁が両面接着テープ１６の上端縁よりも上方に位置することに起因して、使用者は保護テープ１８の上端縁部を容易に指でつまむことが可能となり、保護テープ１８を容易に剥離することができるようになる。また、保護テープ１８が両面接着テープ１６の色と異なった色に着色されている故に、使用者は両面接着テープ１６の表面に保護テープ１８が接着されているか否かを容易に視認することが可能となる。露呈せしめられた両面接着テープ１６の表面が裏壁部１０の内面上部に押圧せしめられることで表壁部８の内面上部と裏壁部１０の内面上部とが接着され、手提げ手段６を把持することで手提げ袋２は持ち運ばれる。本発明に従って構成された手提げ袋２にあっては、手提げ手段６が表壁部８の上端部に接続された表側帯状片２０と裏壁部１０の上端部に接続された裏側帯状片２２とから構成されている故に、商品Ｇを収納した手提げ袋２を持ち運ぶ際には単に表側帯状片２０及び裏側帯状片２２を把持することによって手提げ袋２を持ち上げることができる。そしてまた表側帯状片２０及び裏側帯状片２２の縁ではなくて面に指を当接することができ、従って収納されている商品が高重量のものである場合でも使用者が指に痛みを感じることが可及的に回避される。
【００１９】
図４及び図５は本発明に従って構成された手提げ袋の他の実施形態を図示している。本実施形態における手提げ袋１０２にあっては、表側帯状片１２０は、その両側端が表壁部１０８の外面上端部の両側端に溶着され、その両側端部上縁が表壁部１０８の外面上縁の両側端部に溶着され、そして更に、表壁部１０８の外面上縁に溶着された上記両側端部の幅方向内側端部から底端に向かって幅方向外側に傾斜して延びる傾斜ライン１２４に沿って表壁部１０８の外面上端部に溶着されている。一方、裏側帯状片１２２は、その両側端が裏壁部１１０の外面上端部の両側端に溶着され、その両側端部上縁が裏壁部１１０の外面上縁の両側端部に溶着され、そして更に、裏壁部１１０の外面上縁に溶着された上記両側端部の幅方向内側端部から底端に向かって幅方向外側に傾斜して延びる傾斜ライン１２４に沿って裏壁部１１０の外面上端部に溶着されている。手提げ手段１０６をこのように構成することで、手提げ手段１０６を把持して手提げ袋１０２を持ち上げる際には、表側帯状片１２０及び裏側帯状片１２２の幅方向中央領域は共に傾斜ライン１２４に沿って上方に反転せしめられる。これにより、手提げ手段１０６を把持して手提げ袋１０２を持ち運ぶ際に、手提げ手段１０６が過剰に長くなることが回避され持ちやすくなる。傾斜ライン１２４の各々は下方に向かって幅方向外側に弧状に延びる延出部１２６を含んでいるのが好都合である。図示の実施形態においては、延出部１２６は傾斜ライン１２４の下方延出端部に続いて幅方向外側に向かって弧状に延び、次いで幅方向外側に向かって水平に延びている。傾斜ライン１２４が延出部１２６を含むことで、手提げ手段１０６を把持して手提げ袋１０２を持ち運ぶ際に、商品の重量が傾斜ライン１２４の下方延出端に集中することなく、延出部１２６に沿って分散される。そのため、収納されている商品が高重量のものである場合であっても手提げ手段１０６が破損されにくくなる。
【００２０】
図４及び図５に図示する実施形態においては、更に、表壁部１０８及び裏壁部１１０の上端部における幅方向中央部には略矩形形状の切欠き１２７が形成されている。かような切欠き１２７が形成されている故に、手提げ手段１０６を把持して手提げ袋１０２を持ち運ぶ際に、使用者の指が表壁部１０８の上縁中央領域及び裏壁部１１０の上縁中央領域と擦れ、使用者が不快な思いをすることが可及的に回避される。
【００２１】
図６は本発明に従って構成された手提げ袋の更に他の実施形態を図示している。本実施形態における手提げ袋２０２にあっては、接続手段２１４は、表壁部２０８の内面上部と裏壁部２１０の内面上部との一方に固着されて幅方向に延在する凸型ファスナ片２２８と、表壁部２０８の内面上部と裏壁部２１０の内面上部との他方に固着されて幅方向に延在する凹型ファスナ片２３０とから構成されている（図６のＤ部拡大図も参照されたい）。接続手段２１４の構成をこのようにすることで、表壁部２０８の内面と裏壁部２１０の内面とは凸型ファスナ片２２８と凹型ファスナ片２３０との嵌合によって相互に解除自在に接続される。かような手提げ袋２０２においては、凸型ファスナ片２２８と凹型ファスナ片２３０との接続及び接続解除を繰り返すことによって手提げ袋を繰り返し利用することができる。
【００２２】
以上、添付図面を参照して本発明に従って構成された手提げ袋の好適実施形態について詳細に説明したが、本発明は係る実施形態に限定されるものではなく、本発明の範囲を逸脱することなく種々の変形乃至修正が可能であることは多言を要しない。例えば、図示の実施形態においては、表側帯状片は表壁部の上端部の外側面に接続されていると共に裏側帯状片は裏壁部の上端部の外側面に接続されているが、表側帯状片は表壁部の上端部の内側面に接続すると共に裏側帯状片は裏壁部の上端部の内側面に接続することもできる。
【符号の説明】
【００２３】
２：手提げ袋
４：袋本体
６：手提げ手段
８：表壁部
１０：裏壁部
１４：接続手段
２０：表側帯状片
２２：裏側帯状片
【図１】
2017007705.tif 000003
【図２】
2017007705.tif 000004
【図３】
2017007705.tif 000005
【図４】
2017007705.tif 000006
【図５】
2017007705.tif 000007
【図６】
2017007705.tif 000008